(57)【要約】【課題】光源光量およびシェーディングに関するデータを採取する際、シェーディングデータのばらつきを防止することができる調整用アタッチメントと、それを用いた画像読取装置を提供すること。【解決手段】写真フィルムを固定する読取用アタッチメントを搬送させるフィルム搬送装置に対して、着脱自在に構成される調整用アタッチメント８であって、前記写真フィルムに形成された画像に対応した幅寸法をそれぞれ有する開口部８１および開口部８２が、前記読取用アタッチメントの搬送方向に並設されており、開口部８１は素通しであるとともに、開口部８２に透光性平板８３が配設されている。【選択図】図４
2005223841.tif 000002
【特許請求の範囲】
【請求項１】
写真フィルムを固定する読取用アタッチメントを搬送させるフィルム搬送装置に対して、着脱自在に構成される調整用アタッチメントであって、
前記写真フィルムに形成された画像に対応した幅寸法をそれぞれ有する第１開口部および第２開口部が、前記読取用アタッチメントの搬送方向に並設されており、前記第１開口部は素通しであるとともに、前記第２開口部に透光性平板が配設されたことを特徴とする調整用アタッチメント。
【請求項２】
請求項１記載の調整用アタッチメントと、前記調整用アタッチメントを搬送する搬送機構とを備える画像読取装置。
【請求項３】
前記第１開口部はシェーディングのデータ採取に用いられるとともに、前記第２開口部は光源光量のデータ採取に用いられることを特徴とする請求項２記載の画像読取装置。
【発明の詳細な説明】
【技術分野】
【０００１】
本発明は、写真フィルムに形成された画像を読み取る画像読取装置などにおいて、光源光量およびシェーディングのデータを採取するときに用いる調整用アタッチメントと、それが用いられる画像読取装置に関する。
【背景技術】
【０００２】
かかる画像読取装置として、ネガフィルムやポジフィルムのような写真フィルムをスキャニングすることで画像データを取得するフィルムスキャナが知られている。フィルムスキャナは、光源から照射されて写真フィルムを透過した透過光を、多数のＣＣＤ素子が１次元配列されたラインＣＣＤで検出することにより、写真フィルムに形成された画像の読み取りを行う。その際、ラインＣＣＤ内での電子走査による主走査が行われるとともに、ラインＣＣＤが受ける透過光の機械的な変位による副走査が行われる。
【０００３】
上記において、透過光を機械的に変位させる手段としては種々のものがあるが、例えば下記特許文献１に開示されるようなフィルム搬送装置（ネガマスク）を用いるものが挙げられる。当該フィルム搬送装置は、透過光の光軸上に設置され、写真フィルムを固定した読取用アタッチメント（可動部）を搬送することで副走査を行う。
【０００４】
図６は、読取用アタッチメントの一例を示す平面図である。読取用アタッチメント５は下側枠体５２および上側枠体５３を備え、それぞれに矩形の開口部５２ａ、５３ａが設けられている。下側枠体５２の開口部５２ａには透光性平板５５が配設されている。上側枠体５３は下側枠体５２に対して支持シャフト５４を軸として揺動可能に構成されており、透光性平板５５上に載置された写真フィルムを挟持して固定可能に構成されている。写真フィルムは読取用アタッチメント５に固定された状態で、フィルム搬送装置によって副走査方向に搬送され、フィルム画像の読み取りが行われる。透光性平板５５には、表面反射やニュートンリングを防止する目的で、一般に、表面に微小な凹凸が形成されたノングレアガラスが使用されている。従来、当該用途に係るノングレアガラスの表面粗さは、ＪＩＳ  Ｂ０６０１−２００１に示される最大高さＲｚが２．０μｍ以上のものであった。
【０００５】
上記画像読取装置を用いて写真フィルムの画像を読み取る場合、事前に写真フィルムを挟持していない読取用アタッチメントを用いて、光源光量およびシェーディングに関するデータを採取しておく必要がある。前者は、写真フィルムが透光性平板上に載置されることに鑑みて、その平板を透過する透過光量を調べるものである。後者は、１次元配列されたＣＣＤ素子の感度ムラ、およびその配列方向の光源ムラを調べるものである。当該データ採取は、作業前または装置の設置前などに行われ、採取したこれらのデータに基づいて、光源の光量調整や色（ＲＧＢ）のバランス補正がなされる。
【０００６】
しかしながら、透光性平板として上記のノングレアガラスが用いられる場合、表面の微小な凹凸によって、主走査方向の両端部の光が拡散され易くなり、明暗部が顕著に現れる傾向があった。しかも、データ採取を行うたびに、ノングレアガラスに対向するＣＣＤ素子のライン位置が微妙に異なるため、シェーディングデータの結果にばらつきが生じていた。そのため、上記のようなシェーディングデータに基づいて色バランス補正が行われることにより、ラインＣＣＤの設定が不適切となり、プリント品質が悪化することがあった。
【特許文献１】特開平１１−３１７８５３号公報
【発明の開示】
【発明が解決しようとする課題】
【０００７】
そこで、本発明の目的は、光源光量およびシェーディングに関するデータを採取する際、シェーディングデータのばらつきを防止することができる調整用アタッチメントと、それを用いた画像読取装置を提供することにある。
【課題を解決するための手段】
【０００８】
上記目的は、下記の如き本発明により達成することができる。即ち、本発明の調整用アタッチメントは、写真フィルムを固定する読取用アタッチメントを搬送させるフィルム搬送装置に対して、着脱自在に構成される調整用アタッチメントであって、前記写真フィルムに形成された画像に対応した幅寸法をそれぞれ有する第１開口部および第２開口部が、前記読取用アタッチメントの搬送方向に並設されており、前記第１開口部は素通しであるとともに、前記第２開口部に透光性平板が配設されている。
【０００９】
本発明の調整用アタッチメントは、写真フィルムに形成された画像に対応した幅寸法をそれぞれ有する第１開口部および第２開口部を備え、第１開口部は素通しであるとともに、第２開口部には透光性平板が配設されていることにより、光源光量データを第２開口部を介して採取するとともに、シェーディングデータを第１開口部を介して採取することができる。これにより、光源光量のデ−タ採取は、透光性平板を透過する透過光に対して行われるので、画像を読み取る際と同じ条件となり、光源の光量調整を適切に行うことができる。一方、シェーディングのデータ採取は、透光性平板を介さずに行われるので、透光性平板の表面の凹凸により主走査方向の両端部において光が拡散することがなく、しかも、第１開口部に対する光検出素子の配列位置がデータ採取のたびに異なっても、それに起因するシェーディングデータのばらつきが発生しないため、色バランス補正を適切に行うことができる。その結果、適切な画像検出手段の設定が可能となり、プリント品質を確保することができる。また、第１開口部および第２開口部は読取用アタッチメントの搬送方向に並設されているため、調整用アタッチメントを搬送させることで、光源光量データとシェーディングデータとを順次容易に採取することができる。
【００１０】
また、本発明の画像読取装置は、上記調整用アタッチメントと、その調整用アタッチメントを搬送する搬送機構とを備える。
【００１１】
上記構成の画像読取装置によれば、上述の作用効果が好適に奏される。即ち、光源光量のデ−タ採取を透光性平板を透過する透過光に対して行うことで、光源の光量調整を適切に行うことができ、シェーディングのデータ採取を透光性平板を介さずに行うことで、シェーディングデータのばらつきを防止して、色バランス補正を適切に行うことができる。その結果、適切な画像検出手段の設定が可能となり、プリント品質を確保することができる。また、調整用アタッチメントを搬送させる搬送機構を備えることにより、採取するデータの切り替えを容易に行うことができる。
【００１２】
上記において、前記第１開口部はシェーディングのデータ採取に用いられるとともに、前記第２開口部は光源光量のデータ採取に用いられるものが好ましい。
【００１３】
これにより、上述したように、光源の光量調整を効果的に行うことができるとともに、シェーディングデータのばらつきを防止して、色バランス補正を効果的に行うことができる。その結果、画像検出手段の適切な設定が可能となり、プリント品質を確保することができる。
【発明を実施するための最良の形態】
【００１４】
以下、本発明を実施するための形態について、図面を参照しながら説明する。まず、本発明に係る調整用アタッチメントおよび画像読取装置が用いられる写真処理システムの構成について、図１の模式図を用いて説明する。
【００１５】
図１に示す写真処理システムは、フィルムスキャナＡ（前記画像読取装置に相当する。）と、プリンタプロセッサＢとから構成される。フィルムスキャナＡは、写真フィルムＦに形成されている画像を読み取り、デジタルデータ化する機能を有する。プリンタプロセッサＢは、フィルムスキャナＡにより読み取られた画像データに基づいて、写真感光材料であるペーパーＰに画像を焼付露光し写真プリントを作成する。
【００１６】
フィルムスキャナＡは、ハロゲンランプに代表される光源部２を備えており、光源部２から照射される光は、調光フィルター３によって色バランスの調整が行われるとともに、拡散板４によって均一な状態となる。そして、光を均一に混色する機能を有するミラートンネル６を介して、フィルム搬送装置１に送られる。フィルム搬送装置１では、画像が形成された写真フィルムＦを一定速度で搬送しつつ、ミラートンネル６から送られてきた光を透過させる。フィルム搬送装置１の詳細は後述する。
【００１７】
写真フィルムＦを透過した透過光は、画像をＣＣＤ素子（前記光検出素子に相当する。）上に結像させる機能を有する結像レンズ７に送られる。結像レンズ７では、その結像される画像の倍率を写真フィルムＦの幅寸法に応じて変更することができる。ラインＣＣＤ９（前記画像検出手段に相当する。）は、１次元配列されたＣＣＤ素子から構成され、フィルム画像を伴った透過光を受けることで、写真フィルムＦに形成された画像データを読み取る。読み取られた画像データは、画像出力部１０を介して画像処理装置１１へと送信される。
【００１８】
次に、プリンタプロセッサＢの構成を説明する。ペーパーマガジン１２には、写真感光材料であるペーパーＰがロールの形態で収容されており、ペーパーカッター１３は、ペーパーマガジン１２から引き出されたペーパーＰをプリントサイズに切断する。切断されたペーパーＰは、多数の搬送ローラ１５が配置された搬送経路に沿って搬送される。ペーパーＰの乳剤面には、画像処理装置１１から送られてくる画像データに基づいて、露光エンジン１４による画像の焼付露光が行われる。焼付露光されたペーパーＰは、現像処理部１６において現像処理が行われ、乾燥後、ペーパー排出部１７から仕上がりの写真プリントとして排出される。
【００１９】
コントローラ３０にはモニター３１およびキーボード３２が接続されており、このコントローラ３０の指令に基づいて、画像処理装置１１において処理された画像データが露光エンジン１４に転送される。モニター３１にはフィルムスキャナＡにより読み取られた画像が表示されるため、オペレータは、モニター３１を見ながら処理に必要な種々の作業を行い、キーボード３２やその他のマウス等の入力手段により、写真処理に必要なデータの入力や各種の指令を与えることができる。
【００２０】
次に、上記フィルムスキャナＡに用いられるフィルム搬送装置１について、図２の平面図を用いて説明する。
【００２１】
フィルム搬送装置１は、本体部１８と、本体部１８上を移動可能な移動テーブル１９とを備えている。フィルム搬送装置１の本体部１８には、左右に延びた軸芯回りで回転可能な螺軸２１、螺軸２１を回転駆動させるステッピングモータ２２、および螺軸２１とステッピングモータ２２とを同期回転させるためのタイミングベルト２３が設けられている。移動テーブル１９は、螺軸２１と螺合するナット部２４を備えており、ステッピングモータ２２により螺軸２１を一定回転させることで、移動テーブル１９を一定速度で左右に移動させることができる（以上、前記搬送機構に相当する。）。
【００２２】
移動テーブル１９には、読み取り対象となる写真フィルムＦに形成される画像の最大サイズを包囲可能な矩形の開口フレーム２６が設けられている。また、移動テーブル１９上に設けられたマグネット２５の磁力で、後述する読取用アタッチメント５を吸着して固定することにより、その読取用アタッチメント５の着脱および位置決めを容易に行うことができる。
【００２３】
読取用アタッチメント５は、図６に示すように、下側枠体５２および上側枠体５３を備え、それぞれに矩形の開口部５２ａ、５３ａが設けられている。下側枠体５２の開口部５２ａには写真フィルムを支持するための透光性平板５５が配設される。上側枠体５３は下側枠体５２に対して支持シャフト５４を軸として揺動可能に構成されており、透光性平板５５上に載置された写真フィルムを挟持して固定可能に構成されている。よって、上記機構により移動テーブル１９を移動させることで、その上に載置された読取用アタッチメント５、および読取用アタッチメント５に固定される写真フィルムＦの搬送が可能となる。
【００２４】
本実施形態では、読取用アタッチメント５に設けられる透光性平板５５としてノングレアガラスを用いている。ノングレアガラスの表面に形成された微小な凹凸により、表面反射やニュートンリングが抑制され、画質の悪化を回避することができる。但し、表面の凹凸が粗過ぎると、光の拡散を促進して明暗の差が大きくなるため好ましくない。また、表面の凹凸が細か過ぎると、ニュートンリングが発生するため好ましくない。よって、適度な表面粗さを有するものが好ましく、具体的には、ＪＩＳ  Ｂ０６０１−２００１に示される最大高さＲｚが、０．８μｍ＜Ｒｚ＜２．０μｍであるものが好ましい。
【００２５】
フィルム搬送装置１の本体部１８において、読取用アタッチメント５の搬送経路の右側には、ホームポジションに位置する移動テーブル１９に載置された読取用アタッチメント５が固定する写真フィルムを、ＬＥＤ光源からなるバックライトで照射するフィルムビュワー２７が設けられている。また、その左側には、光透過用スリット２０が、読取用アタッチメント５の搬送方向と直交する方向に延びて形成されている。
【００２６】
図７は、上記フィルム搬送装置１を備えるフィルムスキャナＡを用いた画像の読み取りを模式的に表した側面図である。移動テーブル１９の搬送は、上述したようにステッピングモータ２２によって、螺軸２０およびナット部２４を介して行われる。移動テーブル１９上に固定された読取用アタッチメント５は、写真フィルムＦを固定した状態で搬送され、光透過用スリット２０上を一定速度で通過する。その際、光源部２が発した光が光透過用スリット２０を通過して写真フィルムＦに到達し、写真フィルムＦを透過した透過光が結像レンズ７を介してラインＣＣＤ９で読み取られてデジタルデータ化される。ここで、ラインＣＣＤ９を構成するＣＣＤ素子の配列方向（紙面に対して垂直方向）が主走査方向に相当し、写真フィルムＦの搬送方向（図７における左右方向）が副走査方向に相当する。
【００２７】
但し、フィルム画像を読み取る際、事前に光源光量およびシェーディングに関するデータを採取し、これらのデータに基づいて光源の光量調整や色バランス補正を行う必要がある。従来、これらのデータ採取は、フィルム搬送装置１の移動テーブル１９上に上記読取用アタッチメント５が載置された状態で行われていたが、本実施形態では、以下に示すように、本発明に係る調整用アタッチメントを用いて行う。
【００２８】
図３は、本発明に係る調整用アタッチメントの平面図である。図３に示す調整用アタッチメント８は平板状を呈し、素通しの開口部８１（前記第１開口部に相当する。）と、透光性平板８３が配設された開口部８２（前記第２開口部に相当する。）とを備える。透光性平板８３には、画像の読み取りの際に用いられる読取用アタッチメント５に設けられるものと同じ材質のものが採用され、本実施形態ではノングレアガラスが採用される。開口部８１と開口部８２とは、写真フィルムの搬送方向（読取用アタッチメント５の搬送方向）に並設されるとともに、それぞれ、読み取られる画像に対応した幅寸法を有する。調整用アタッチメント８は、読取用アタッチメント５と同様に、マグネット２５の吸着によって移動テーブル１９に固定することができ、光源光量およびシェーディングに関するデータを採取する際に用いられる。
【００２９】
図４は、調整用アタッチメント８が取り付けられたフィルム搬送装置の平面図である。図５は、フィルム搬送装置１を用いた光源光量およびシェーディングに関するデータ採取を模式的に表した側面図である。図４および図５を用いて、光源光量およびシェーディングに関するデータを採取する例について説明する。
【００３０】
まず、移動テーブル１９に調整用アタッチメント８を載置する。次に、移動テーブル１９によって調整用アタッチメント８を搬送し、開口部８１を光透過用スリット２０上に配置する。かかる状態では、光透過用スリット２０を通過した光が、そのまま開口部８１を通過してラインＣＣＤ９に検出される。その結果、主走査方向の両端部において光が拡散することがなく、しかも、素通しの開口部８１に対するＣＣＤ素子の配列位置がデータ採取のたびに異なっても、それに起因するシェーディングデータのばらつきが発生しないため、その採取したシェーディングデータに基づいて適切な色バランス補正を行うことができる。
【００３１】
シェーディングデータの採取後、調整用アタッチメント８を搬送し、開口部８２を光透過用スリット２０上に配置する。かかる状態では、光透過用スリット２０を通過した光が、ノングレアガラス８３を透過してラインＣＣＤ９に検出される。その結果、ノングレアガラス８３を透過した透過光量が検出されるため、読取用アタッチメント５を用いて画像を読み取る際と同じ光源光量に関するデータを採取することができ、その採取した光源光量データに基づいて適切な光量調整を行うことができる。
【００３２】
［他の実施形態］
（１）前述の実施形態では、調整用アタッチメント８の搬送方向下流側に、シェーディングデータを採取するための開口部８１を設け、その上流側に光源光量データを採取するための開口部８２を設けた例を示したが、これらの位置関係は逆であってもよい。
【００３３】
（２）本発明に係る画像読取装置は、前述の実施形態で示した構成のフィルムスキャナＡに限定されるものではない。
【図面の簡単な説明】
【００３４】
【図１】本発明に係る画像読取装置を備える写真処理システムの構成を示す模式図
【図２】本発明に係る調整用アタッチメントが用いられるフィルム搬送装置の平面図
【図３】本発明に係る調整用アタッチメントの平面図
【図４】本発明に係る調整アタッチメントを取り付けたフィルム搬送装置の平面図
【図５】光源光量およびシェーディングに関するデータ採取を模式的に表した側面図
【図６】アタッチメントの平面図
【図７】画像の読み取りを模式的に表した側面図
【符号の説明】
【００３５】
１    フィルム搬送装置
２    光源部
５    読取用アタッチメント
８    調整用アタッチメント
９    ラインＣＣＤ
１８  本体部
１９  移動テーブル
２０  光透過用スリット
５５  ノングレアガラス（透光性平板）
８１  開口部
８２  開口部
８３  ノングレアガラス（透光性平板）
Ａ    フィルムスキャナ
Ｂ    プリンタプロセッサ
Ｆ    写真フィルム
【図１】
2005223841.tif 000003
【図２】
2005223841.tif 000004
【図３】
2005223841.tif 000005
【図４】
2005223841.tif 000006
【図５】
2005223841.tif 000007
【図６】
2005223841.tif 000008
【図７】
2005223841.tif 000009